(57)【要約】【課題】高所に設置された機器の設置位置を正確に特定する。【解決手段】機器管理ＤＢ２０で、機器情報として、当該機器４２が設置されている位置情報として標高からなる設置高度を含む機器情報を蓄積しておき、端末装置１０において、表示要求操作に応じて、位置情報表示部１６により、対象機器４２の機器情報を機器管理ＤＢ２０から取得し、取得した機器情報に含まれる機器４２の設置高度Ｈ２から高度検出部１４で検出した現在高度ＨＰを減算して得られた差分高度ＤＨ２を、画面表示部１３で画面表示する。【選択図】  図１
2011186984.tif 000002
【特許請求の範囲】
【請求項１】
設備に設置されている各機器に関する機器情報を蓄積する機器管理データベースと、通信回線を介して前記機器管理データベースから取得した任意の機器に関する機器情報に基づいて、当該機器の設置位置情報を画面表示する端末装置とを含む機器管理システムであって、
前記機器管理データベースの前記機器情報に、当該機器が設置されている位置情報として当該機器の設置高度を含み、
前記端末装置は、
自装置の高度を検出する高度検出部と、
位置情報表示要求操作に応じて、対象機器の機器情報を前記機器管理データベースから取得し、取得した前記機器情報に含まれる当該機器の設置高度から前記高度検出部で検出した自装置の現在高度を減算して得られた差分高度を画面表示する位置情報表示部と
を備えることを特徴とする機器管理システム。
【請求項２】
請求項１に記載の機器管理システムにおいて、
前記端末装置は、位置情報登録要求操作に応じて、前記高度検出部で検出した前記高度を、前記機器管理データベースの対象機器に関する機器情報へ当該対象機器の設置高度として登録する位置情報登録部をさらに備えることを特徴とする機器管理システム。
【請求項３】
請求項１に記載の機器管理システムにおいて、
前記位置情報登録部は、フロア高度登録要求操作に応じて、前記高度検出部で検出した前記高度を、前記機器管理データベースの対象機器に関する機器情報へ当該対象機器が設置されている設置基準フロアのフロア高度として登録することを特徴とする機器管理システム。
【請求項４】
請求項３に記載の機器管理システムにおいて、
前記位置情報表示部は、前記位置情報表示要求操作に応じて、対象機器の機器情報を前記機器管理データベースから取得し、取得した前記機器情報に含まれる当該機器の設置高度から取得した前記機器情報に含まれる当該機器のフロア高度を減算して得られた差分高度を画面表示することを特徴とする機器管理システム。
【請求項５】
設備に設置されている各機器に関する機器情報を蓄積する機器管理データベースと通信回線を介して接続されて、前記機器管理データベースから取得した任意の機器に関する機器情報に基づいて、当該機器の設置位置情報を画面表示する端末装置であって、
自装置の高度を検出する高度検出部と、
位置情報表示要求操作に応じて、対象機器の機器情報を前記機器管理データベースから取得し、取得した前記機器情報に含まれる当該機器の設置高度から前記高度検出部で検出した自装置の現在高度を減算して得られた差分高度を画面表示する位置情報表示部と
を備えることを特徴とする端末装置。
【請求項６】
請求項５に記載の端末装置において、
位置情報登録要求操作に応じて、前記高度検出部で検出した前記高度を、前記機器管理データベースの対象機器に関する機器情報へ当該対象機器の設置高度として登録する位置情報登録部をさらに備えることを特徴とする端末装置。
【請求項７】
請求項５に記載の端末装置において、
前記位置情報登録部は、フロア高度登録要求操作に応じて、前記高度検出部で検出した前記高度を、前記機器管理データベースの対象機器に関する機器情報へ当該対象機器が設置されている設置基準フロアのフロア高度として登録することを特徴とする端末装置。
【請求項８】
請求項７に記載の端末装置において、
前記位置情報表示部は、前記位置情報表示要求操作に応じて、対象機器の機器情報を前記機器管理データベースから取得し、取得した前記機器情報に含まれる当該機器の設置高度から取得した前記機器情報に含まれる当該機器のフロア高度を減算して得られた差分高度を画面表示することを特徴とする端末装置。
【請求項９】
設備に設置されている各機器に関する機器情報を蓄積する機器管理データベースと通信回線を介して接続されて、前記機器管理データベースから取得した任意の機器に関する機器情報に基づいて、当該機器の設置位置情報を画面表示する端末装置で用いられる位置情報表示方法であって、
高度検出部が、自装置の高度を検出する高度検出ステップと、
位置情報表示部が、位置情報表示要求操作に応じて、対象機器の機器情報を前記機器管理データベースから取得するステップと、
前記位置情報表示部が、取得した前記機器情報に含まれる当該機器の設置高度から、前記高度検出ステップで検出した自装置の現在高度を減算して得られた差分高度を画面表示する位置情報表示ステップと
を備えることを特徴とする位置情報表示方法。
【発明の詳細な説明】
【技術分野】
【０００１】
本発明は、機器管理技術に関し、特に設備に設けられた各機器に関する機器情報を表示する機器情報表示技術に関する。
【背景技術】
【０００２】
産業システムや建物などの設備では、フィールド機器、リモートＩ／Ｏ、電源ユニット、コントローラ、オペレータコンソールなど、各種の機器が用いられており、例えば石油化学プラントやビルなど、比較的規模の大きい設備では、広い範囲にわたって数多くの機器が設置されている。
これら機器は、メンテナンスを考慮して、設備設計時に設定された機器の識別情報や式器の種別、さらには設置日時やメンテナンス記録など、各機器に関する機器情報が機器管理データベースで管理されている。
【０００３】
実際に、これら機器についてメンテナンスを行う場合、保守作業者が機器の設置場所に出向いて作業を行う必要がある。このため、対象機器の設置場所を容易に特定する必要がある。特に、長期間にわたり機器のメンテナンスを行っていない場合や、経験の浅い保守作業者の場合には、機器の設置場所を正確に特定することは難しくなる。
【０００４】
従来、このような機器に無線通信機能を設け、各機器と無線通信を行うことにより、機器で得られた各種データを収集する技術が提案されている（例えば、特許文献１など参照）。特に、この技術では、機器にＧＰＳなどの位置検出機能を設け、検出した水平設置位置で機器を特定することも提案されている。
【先行技術文献】
【特許文献】
【０００５】
【特許文献１】特開２００３−１３４２６１号公報
【発明の概要】
【発明が解決しようとする課題】
【０００６】
しかしながら、このような従来技術では、機器の設置高度については考慮されておらず、高所に設置された機器の設置位置を正確に特定することができないという問題点があった。
例えば石油化学プラントやビルなど、比較的規模の大きい設備では、設備の範囲が広いだけでなく、蒸留塔やビル屋上など、１００ｍ以上の高所に機器が設置される場合もある。また、実際に対象機器４２をメンテナンスする保守作業者が任意の高度を持つ作業場所Ｐにいる場合もある。
このため、緯度や経度など機器の水平方向位置が把握できても、対象機器を容易に見つけることができず、設計図面を探して設置高さを調べるなど、本来のメンテナンス作業を開始する前に、無駄な作業や時間が必要となる。
【０００７】
本発明はこのような課題を解決するためのものであり、高所に設置された機器の設置位置を正確に特定できる機器情報表示技術を提供することを目的としている。
【課題を解決するための手段】
【０００８】
このような目的を達成するために、本発明にかかる機器管理システムは、設備に設置されている各機器に関する機器情報を蓄積する機器管理データベースと、通信回線を介して機器管理データベースから取得した任意の機器に関する機器情報に基づいて、当該機器の設置位置情報を画面表示する端末装置とを含む機器管理システムであって、機器管理データベースの機器情報に、当該機器が設置されている位置情報として当該機器の設置高度を含み、端末装置に、自装置の高度を検出する高度検出部と、位置情報表示要求操作に応じて、対象機器の機器情報を機器管理データベースから取得し、取得した機器情報に含まれる当該機器の設置高度から高度検出部で検出した自装置の現在高度を減算して得られた差分高度を画面表示する位置情報表示部とを備えている。
【０００９】
この際、端末装置に、位置情報登録要求操作に応じて、高度検出部で検出した高度を、機器管理データベースの対象機器に関する機器情報へ当該対象機器の設置高度として登録する位置情報登録部をさらに設けてもよい。
【００１０】
また、位置情報登録部で、フロア高度登録要求操作に応じて、高度検出部で検出した高度を、機器管理データベースの対象機器に関する機器情報へ当該対象機器が設置されている設置基準フロアのフロア高度として登録するようにしてもよい。
【００１１】
さらに、位置情報表示部で、位置情報表示要求操作に応じて、対象機器の機器情報を機器管理データベースから取得し、取得した機器情報に含まれる当該機器の設置高度から取得した機器情報に含まれる当該機器のフロア高度を減算して得られた差分高度を画面表示するようにしてもよい。
【００１２】
また、本実施の形態にかかる端末装置は、設備に設置されている各機器に関する機器情報を蓄積する機器管理データベースと通信回線を介して接続されて、機器管理データベースから取得した任意の機器に関する機器情報に基づいて、当該機器の設置位置情報を画面表示する端末装置であって、自装置の高度を検出する高度検出部と、位置情報表示要求操作に応じて、対象機器の機器情報を機器管理データベースから取得し、取得した機器情報に含まれる当該機器の設置高度から高度検出部で検出した自装置の現在高度を減算して得られた差分高度を画面表示する位置情報表示部とを備えている。
【００１３】
この際、位置情報登録要求操作に応じて、高度検出部で検出した高度を、機器管理データベースの対象機器に関する機器情報へ当該対象機器の設置高度として登録する位置情報登録部をさらに備えてもよい。
【００１４】
また、位置情報登録部で、フロア高度登録要求操作に応じて、高度検出部で検出した高度を、機器管理データベースの対象機器に関する機器情報へ当該対象機器が設置されている設置基準フロアのフロア高度として登録するようにしてもよい。
【００１５】
さらに、位置情報表示部で、位置情報表示要求操作に応じて、対象機器の機器情報を機器管理データベースから取得し、取得した機器情報に含まれる当該機器の設置高度から取得した機器情報に含まれる当該機器のフロア高度を減算して得られた差分高度を画面表示するようにしてもよい。
【００１６】
また、本発明にかかる位置情報表示方法は、設備に設置されている各機器に関する機器情報を蓄積する機器管理データベースと通信回線を介して接続されて、機器管理データベースから取得した任意の機器に関する機器情報に基づいて、当該機器の設置位置情報を画面表示する端末装置で用いられる位置情報表示方法であって、高度検出部が、自装置の高度を検出する高度検出ステップと、位置情報表示部が、位置情報表示要求操作に応じて、対象機器の機器情報を機器管理データベースから取得するステップと、位置情報表示部が、取得した機器情報に含まれる当該機器の設置高度から、高度検出ステップで検出した自装置の現在高度を減算して得られた差分高度を画面表示する位置情報表示ステップとを備えている。
【発明の効果】
【００１７】
本発明によれば、高所に対象機器が設置されている場合でも、対象機器の設置位置を正確に特定することができる。このため、従来、対象機器に対する本来のメンテナンス作業を開始する前に必要とされていた、無駄な作業や時間を省くことができ、極めて効率的なメンテナンスを実現することが可能となる。
【図面の簡単な説明】
【００１８】
【図１】第１の実施の形態にかかる機器管理システムおよび端末装置の構成を示すブロック図である。
【図２】機器の高度を示す説明図である。
【図３】機器情報の構成例である。
【図４】第１の実施の形態にかかる機器管理システムの位置情報表示動作を示すシーケンス図である。
【図５】機器情報の画面表示例である。
【図６】第２の実施の形態にかかる端末装置の構成を示すブロック図である。
【図７】第２の実施の形態にかかる機器管理システムの位置情報登録動作を示すシーケンス図である。
【図８】機器情報の他の構成例である。
【図９】第３の実施の形態にかかる機器管理システムのフロア高度登録動作を示すシーケンス図である。
【図１０】第３の実施の形態にかかる機器管理システムの位置情報表示動作を示すシーケンス図である。
【発明を実施するための形態】
【００１９】
次に、本発明の実施の形態について図面を参照して説明する。
［第１の実施の形態］
まず、図１を参照して、本発明の第１の実施の形態にかかる機器管理システムについて説明する。図１は、第１の実施の形態にかかる機器管理システムおよび端末装置の構成を示すブロック図である。
【００２０】
この機器管理システム１は、設備３０に設置されている各機器４０（４１，４２）に関する機器情報を蓄積する機器管理データベース（以下、機器管理ＤＢという）２０と、通信回線Ｌ１を介して機器管理ＤＢ２０から取得した任意の機器に関する機器情報に基づいて、当該機器の設置位置情報を画面表示する端末装置１０とを含んでいる。
【００２１】
設備３０としては、例えば石油化学プラントなどの産業システムや、ビルなどの建物があり、機器４０の具体例としては、フィールド機器、リモートＩ／Ｏ、電源ユニット、コントローラ、オペレータコンソールなど、各種の機器がある。
【００２２】
機器管理ＤＢ２０は、サーバ装置からなり、各機器４０の機器ＩＤごとに、当該機器に関する各種情報を機器情報として蓄積する機能を有している。
この機器管理ＤＢ２０には、オペレータが操作する操作端末２１や、端末装置１０とのデータ通信を中継するルータ２２が、通信回線Ｌ２を介して接続されている。また、ルータ２２には、インターネットに代表される通信網２３が接続されており、操作端末２１や端末装置１０から通信網２３へアクセス可能となっている。
【００２３】
［発明原理］
次に、図２を参照して、本発明の原理について説明する。図２は、機器の高度を示す説明図である。
一般に、気圧高度計やＧＰＳで検出される高度は絶対高度と呼ばれ、海抜０ｍである高度基準点ＧＮＤからの標高であり、機器４１が設置されている設置高度Ｈについては設置高度Ｈ１として検出され、機器４２が設置されている高度については設置高度Ｈ２として検出される。
【００２４】
一方、保守作業者がメンテナンス時に機器４０の設置場所を特定する場合、設備３０の設置基準となる地面、機器４０が設置されている床面など、任意の高度を持つ作業場所Ｐから機器４０を特定する場合が多い。本発明では、このような作業場所Ｐを基準とした機器４０の標高を差分高度ＤＨという。図２では、設備３０が作業場所Ｐに設置されていることから、機器４１の差分高度はＤＨ１となり、機器４２の差分高度はＤＨ２となる。
【００２５】
本実施の形態は、高度基準点ＧＮＤに対する作業場所Ｐの高度を示す現在高度ＨＰが分かれば、差分高度ＤＨ１，ＤＨ２は、設置高度Ｈ１，Ｈ２との差、すなわちＤＨ１＝Ｈ１−ＨＰおよびＤＨ２＝Ｈ２−ＨＰで求めることができることに着目し、端末装置１０に高度検出部１４を設けて、作業場所Ｐの現在高度ＨＰを検出し、機器管理ＤＢ２０から取得した機器情報に含まれている高度Ｈ１，Ｈ２から現在高度ＨＰを減算することにより、機器４１，４２の差分高度ＤＨ１，ＤＨ２を算出するようにしたものである。
【００２６】
すなわち、本実施の形態は、機器管理ＤＢ２０の機器情報に、機器４０が設置されている設置位置情報として標高からなる設置高度Ｈを含み、端末装置１０で、位置情報表示要求操作に応じて、対象機器４０の機器情報を機器管理ＤＢ２０から取得し、取得した機器情報に含まれる当該機器４０の設置高度Ｈから、自装置で検出した現在高度ＨＰを減算して得られた差分高度ＤＨを画面表示するようにしたものである。
【００２７】
［端末装置］
次に、図１を参照して、本実施の形態にかかる端末装置１０の構成について詳細に説明する。
端末装置１０は、パーソナルコンピュータ、ＰＤＡ、携帯電話などの情報処理端末からなり、主な機能部として、通信部１１、操作入力部１２、画面表示部１３、高度検出部１４、記憶部１５、位置情報表示部１６、および地図情報表示部１７が設けられており、互いにデータやり取り可能に接続されている。
【００２８】
通信部１１は、専用の通信回路からなり、無線または有線からなる通信回線Ｌ１、ルータ２２、通信回線Ｌ２を介して機器管理ＤＢ２０とデータ通信を行うことにより、機器情報や各種メッセージをやり取りする機能を有している。
操作入力部１２は、キーボードなどの操作入力装置からなり、位置情報表示要求操作や位置情報登録要求操作、さらにはデータ入力操作など、作業者による各種操作を検出する機能を有している。
画面表示部１３は、ＬＣＤなどの画面表示装置からなり、操作メニューのほか、位置情報表示部１６や地図情報表示部１７から出力された、高度情報や地図情報などの各種情報を表示する機能を有している。
【００２９】
高度検出部１４は、気圧高度計などの高度計からなり、自装置の標高を高度として検出する機能を有している。
記憶部１５は、半導体メモリやハードディスクなどの記憶装置からなり、各機能部での処理動作に用いる各種処理情報やプログラムを記憶する機能を有している。
【００３０】
位置情報表示部１６は、操作入力部１２で検出された位置情報表示要求操作に応じて、当該操作で指定された機器ＩＤを持つ対象機器の機器情報を機器管理ＤＢ２０から取得する機能と、取得した機器情報に含まれる当該機器の設置高度Ｈと、当該設置高度Ｈから高度検出部１４で検出した自装置の現在高度ＨＰを減算して得られた差分高度ＤＨとを、画面表示部１３で画面表示する機能とを有している。
【００３１】
図３は、機器情報の構成例である。ここでは、機器４０に固有の機器ＩＤ（識別情報）ごとに、機器４０が属する管理区分を示すノード番号やセグメント番号と、設備管理ネットワークシステムにおける機器４０のノードアドレスと、機器４０の設置位置情報とが登録されている。また、機器４０の設置位置情報５０としては、緯度、経度、および設置高度（標高）Ｈが登録されている。この設置高度Ｈは、例えば機器４０の設置時に作業者が携帯する高度計などを用いて検出され、あるいは機器４０に設けられている高度計により検出され、同じくＧＰＳなどの位置検出装置で検出された緯度・経度とともに、機器情報として登録される。
【００３２】
地図情報表示部１７は、位置情報表示部１６で取得した対象機器の機器情報に含まれている設置位置情報、例えば緯度および経度と対応する地図情報を、機器管理ＤＢ２０、通信網２３、または記憶部１５から取得する機能と、取得した地図を位置情報表示部１６で表示された設置高度Ｈや差分高度ＤＨとともに、画面表示部１３で画面表示する機能とを有している。
【００３３】
［第１の実施の形態の動作］
次に、図４を参照して、本発明の第１の実施の形態にかかる機器管理システムの動作について説明する。図４は、第１の実施の形態にかかる機器管理システムの位置情報表示動作を示すシーケンス図である。
ここでは、保守作業者が、対象機器４２の設置位置を特定するため、対象機器４２が設置されている設備３０の作業場所Ｐに端末装置１０を設置して、端末装置１０で対象機器４２に関する機器情報の位置情報表示要求操作を行った場合の位置情報表示動作について説明する。
【００３４】
まず、端末装置１０は、操作入力部１２で検出された位置情報表示要求操作に応じて（ステップ１００）、位置情報表示部１６は、当該操作で指定された対象機器４２の機器ＩＤを含む機器情報取得要求を、通信部１１から機器管理ＤＢ２０宛に送信する（ステップ１０１）。
この機器情報取得要求は、通信部１１から無線または有線の通信回線Ｌ１を介してルータ２２で受信され、通信回線Ｌ２を介して機器管理ＤＢ２０へ転送される。
【００３５】
機器管理ＤＢ２０は、端末装置１０からの機器情報取得要求に応じて、当該要求で指定された機器ＩＤに対応する機器４２の機器情報を検索し（ステップ１０３）、得られた機器情報を含む機器情報通知を、端末装置１０へ返送する（ステップ１０４）。
この機器情報通知は、機器情報取得要求とは逆のルート、すなわち通信回線Ｌ２、ルータ２２、通信回線Ｌ１を介して端末装置１０へ転送され、通信部１１で受信される。
【００３６】
また、端末装置１０の位置情報表示部１６は、位置情報表示要求操作に応じて、機器情報取得要求を送信するとともに、高度検出部１４で自装置が設置されている自装置高度、すなわち作業場所Ｐの現在高度ＨＰを検出しておく（ステップ１０２）。
この後、通信部１１での機器情報通知の受信に応じて、位置情報表示部１６は、機器管理ＤＢ２０から取得した機器４２の機器情報に含まれている機器４２の設置高度Ｈ２から現在高度ＨＰを減算することにより、作業場所Ｐに対する機器４２の高度、すなわち差分高度ＤＨ２＝Ｈ２−ＨＰを算出する（ステップ１０５）。
【００３７】
続いて、位置情報表示部１６は、機器４２の差分高度ＤＨ２、さらには機器４２の設置高度Ｈ２を含む、機器管理ＤＢ２０から取得した機器４２の機器情報を、画面表示部１３で画面表示する（ステップ１０６）。この際、機器４２の機器情報に含まれている水平方向位置に応じた画面上の座標位置に、機器４２を示す丸印などの機器シンボルを表示し、吹き出しなどの付記用シンボルにより、この機器シンボルに対して関連付けて、設置高度Ｈ２を含む、機器４２の機器情報を表示してもよい。
【００３８】
また、地図情報表示部１７は、機器管理ＤＢ２０から取得した機器４２の機器情報の設置位置情報、例えば緯度および経度に基づいて、機器４２の設置場所周辺に関する地図情報を、機器管理ＤＢ２０、通信網２３、または記憶部１５から取得し、位置情報表示部１６で画面表示された機器情報の下層に重ね合わせて、画面表示部１３で画面表示し（ステップ１０７）、一連の位置情報表示動作を終了する。
【００３９】
図５は、機器情報の画面表示例である。ここでは、機器４２に関する機器情報が画面表示されており、機器４２の設置高度Ｈ２が２３．５６ｍで、端末装置１０で検出した自装置の現在高度ＨＰが７．１９ｍの場合、機器４２の差分高度はＤＨ２＝Ｈ２−ＨＰ＝１６．３７ｍとなる。
したがって、画面表示部１３には、機器４２の機器ＩＤを示す「Ｖ００２」と、機器４２の設置高度Ｈ２を示す「高度＝２３．５６」と、機器４２の差分高度ＤＨ２を示す「差分＝１６．３７」とが記載された付記シンボルが、機器の水平方向位置を示す黒丸印からなる機器シンボルに関連づけて、画面表示される。
【００４０】
［第１の実施の形態の効果］
このように、本実施の形態は、機器管理ＤＢ２０で、機器情報として、当該機器４０が設置されている位置情報として標高からなる設置高度Ｈを含む機器情報を蓄積しておき、端末装置１０において、表示要求操作に応じて、位置情報表示部１６により、対象機器４０の機器情報を機器管理ＤＢ２０から取得し、取得した機器情報に含まれる機器４０の設置高度Ｈから高度検出部１４で検出した自装置の現在高度ＨＰを減算して得られた差分高度ＤＨを、画面表示部１３で画面表示するようにしたものである。
【００４１】
これにより、対象機器４０が高所に設置されている場合であっても、さらには、対象機器４０をメンテナンスする保守作業者が任意の高度ＨＰを持つ作業場所Ｐにいる場合であっても、作業場所Ｐから対象機器４０までの差分高度ＤＨを容易に把握できるため、対象機器４０の設置位置を正確に特定することができる。
このため、従来において対象機器４０に対する本来のメンテナンス作業を開始する前に必要とされていた、無駄な作業や時間を省くことができ、極めて効率的なメンテナンスを実現することが可能となる。
【００４２】
また、本実施の形態では、図５に示すように、対象機器４０の設置高度Ｈと差分高度ＤＨの両方を同時に画面表示する場合を例として説明したが、画面表示方法についてはこれに限定されるものではない。例えば、操作入力部１２で検出された表示切替操作に応じて、設置高度Ｈと差分高度ＤＨのいずれか一方を選択して、切替表示するようにしてもよく、さらには作業場所Ｐの高度ＨＰを表示してもよい。
【００４３】
［第２の実施の形態］
次に、図６を参照して、本発明の第２の実施の形態について説明する。図６は、第２の実施の形態にかかる端末装置の構成を示すブロック図である。
第１の実施の形態では、機器管理ＤＢ２０に蓄積される機器情報の設置高度について、例えば機器４０の設置時に作業者が携帯する高度計などを用いて検出され、あるいは機器４０に設けられている高度計により検出され、同じくＧＰＳなどの位置検出装置で検出された緯度・経度とともに、機器情報へ登録される場合を例として説明した。
【００４４】
本実施の形態では、端末装置１０に設けられている高度検出部１４を利用して、例えば機器４０の設置時に、作業者が端末装置１０を携帯しておき、端末装置１０の高度検出部１４で検出した現在高度を、機器４０の設置高度Ｈとして機器管理ＤＢ２０の機器情報へ登録する場合について説明する。
【００４５】
本実施の形態において、位置検出部１８は、ＧＰＳなどの位置検出装置からなり、例えば経度および緯度からなる端末装置１０の水平方向位置を自装置の現在位置として検出する機能を有している。
位置情報登録部１９は、操作入力部１２で検出した位置情報登録要求操作に応じて、高度検出部１４で検出した現在高度、さらには位置検出部１８で検出した自装置の現在位置を、機器管理ＤＢ２０の対象機器４０に関する機器情報へ、当該対象機器の設置高度Ｈ、さらには設置位置として登録する機能を有している。
なお、本実施の形態にかかる端末装置１０および機器管理システム１における、これら以外の構成については、第１の実施の形態と同様であり、ここでの詳細な説明は省略する。
【００４６】
［第２の実施の形態の動作］
次に、図７を参照して、本実施の形態にかかる機器管理システムの動作について説明する。図７は、第２の実施の形態にかかる機器管理システムの位置情報登録動作を示すシーケンス図である。
ここでは、保守作業者が、対象機器４２の設置時に、端末装置１０を携帯しておき、端末装置１０で検出した自装置の現在高度および現在位置を、機器４０の設置高度Ｈおよび設置位置として機器管理ＤＢ２０の機器情報へ登録する場合の位置情報登録動作について説明する。
【００４７】
まず、端末装置１０は、操作入力部１２で検出された位置情報登録要求操作に応じて（ステップ２００）、位置情報登録部１９は、位置検出部１８により水平方向における自装置の現在位置を検出するとともに（ステップ２０１）、高度検出部１４により自装置の現在高度Ｈを検出する（ステップ２０２）。
この後、位置情報登録部１９は、当該位置情報登録要求操作で指定された対象機器４２の機器ＩＤと、自装置の現在位置からなる対象機器４２の設置位置と、自装置の現在高度からなる対象機器４２の設置高度Ｈとを含む位置情報登録要求を、通信部１１から機器管理ＤＢ２０宛に送信する（ステップ２０３）。
【００４８】
機器管理ＤＢ２０は、端末装置１０からの位置情報登録要求に応じて、当該要求で指定された機器ＩＤに対応する機器４２の機器情報に対して、当該要求に含まれている設置位置および設置高度Ｈを設定し（ステップ２０４）、一連の位置情報登録動作を終了する。
【００４９】
［第２の実施の形態の効果］
このように、本実施の形態は、端末装置１０の位置情報登録部１９で、位置情報登録要求操作に応じて、高度検出部１４で検出した高度を、機器管理ＤＢ２０の対象機器４２に関する機器情報へ当該対象機器４２の設置高度Ｈとして登録するようにしたので、高度計などの他の装置を必要とすることなく、機器４２の高度を表示する端末装置１０を兼用して、極めて容易に機器４０の設置高度を、機器管理ＤＢ２０の機器情報へ登録することができる。
【００５０】
［第３の実施の形態］
次に、本発明にかかる第３の実施の形態について説明する。
第２の実施の形態では、端末装置１０を用いて機器４０の設置高度や設置位置を、機器管理ＤＢ２０の機器情報へ登録する場合を例として説明した。ここで、この構成は、機器４０の設置高度Ｈに限定されるものではなく、機器４０の設置基準フロアのフロア高度ＦＰについても機器情報へ登録することができる。例えば機器４０が地面を基礎とする蒸留塔などの設備に設置されている場合には、その地面が機器４０の設置基準フロアとなり、機器４０がビルの屋上に設置されている場合には、その屋上床面が機器４０の設置基準フロアとなる。
【００５１】
本実施の形態では、このような観点から、機器４０の設置高度とフロア高度ＦＰを機器管理ＤＢ２０の機器情報へ登録しておき、端末装置１０での位置情報表示要求に応じて、機器管理ＤＢ２０から取得した機器情報の設置高度とフロア高度ＦＰとから、差分高度を算出して表示する場合について説明する。
【００５２】
図８は、機器情報の他の構成例である。ここでは、機器４０に固有の機器ＩＤ（識別情報）ごとに、機器４０が属する管理区分を示すノード番号やセグメント番号と、設備管理ネットワークシステムにおける機器４０のノードアドレスと、機器４０の設置位置情報とが登録されている。また、機器４０の設置位置情報５０としては、緯度、経度、および設置高度（標高）に加え、機器４０のフロア高度が登録されている。
【００５３】
本実施の形態において、位置情報登録部１９は、操作入力部１２で検出したフロア高度登録要求操作に応じて、高度検出部１４で検出した高度を、機器管理ＤＢ２０の対象機器４０に関する機器情報へ、当該対象機器のフロア高度として登録する機能を有している。
なお、本実施の形態にかかる端末装置１０および機器管理システム１における、これら以外の構成については、第１の実施の形態と同様であり、ここでの詳細な説明は省略する。
【００５４】
［第３の実施の形態の動作］
次に、図９を参照して、本実施の形態にかかる機器管理システムの動作について説明する。図９は、第３の実施の形態にかかる機器管理システムのフロア高度登録動作を示すシーケンス図である。
ここでは、保守作業者が、対象機器４２が設置されている設備３０の作業場所Ｐにおいて、端末装置１０で検出した高度を、機器４０のフロア高度として機器管理ＤＢ２０の機器情報へ登録する場合のフロア高度登録動作について説明する。
【００５５】
まず、端末装置１０は、操作入力部１２で検出されたフロア高度登録要求操作に応じて（ステップ３００）、位置情報登録部１９は、高度検出部１４により自装置の現在高度を検出する（ステップ３０１）。
この後、位置情報登録部１９は、当該フロア高度登録要求操作で指定された対象機器４２の機器ＩＤと、自装置の現在高度からなる対象機器４２のフロア高度とを含むフロア高度登録要求を、通信部１１から機器管理ＤＢ２０宛に送信する（ステップ３０２）。
【００５６】
機器管理ＤＢ２０は、端末装置１０からのフロア高度登録要求に応じて、当該要求で指定された機器ＩＤに対応する機器４２の機器情報に対して、当該要求に含まれているフロア高度を設定し（ステップ３０３）、一連のフロア高度登録動作を終了する。
【００５７】
次に、図１０を参照して、本実施の形態にかかる機器管理システムの位置情報表示動作について説明する。図１０は、第３の実施の形態にかかる機器管理システムの位置情報表示動作を示すシーケンス図である。
ここでは、保守作業者が、対象機器４２の設置位置を特定するため、端末装置１０で対象機器４２に関する機器情報の位置情報表示要求操作を行った場合の位置情報表示動作について説明する。
【００５８】
まず、端末装置１０は、操作入力部１２で検出された位置情報表示要求操作に応じて（ステップ３１０）、位置情報表示部１６は、当該操作で指定された対象機器４２の機器ＩＤを含む機器情報取得要求を、通信部１１から機器管理ＤＢ２０宛に送信する（ステップ３１１）。
機器管理ＤＢ２０は、端末装置１０からの機器情報取得要求に応じて、当該要求で指定された機器ＩＤに対応する機器４２の機器情報を検索し（ステップ３１２）、得られた機器情報を含む機器情報通知を、端末装置１０へ返送する（ステップ３１３）。
【００５９】
端末装置１０は、通信部１１での機器情報通知の受信に応じて、位置情報表示部１６は、機器管理ＤＢ２０から取得した機器４２の機器情報に含まれている機器４２の設置高度Ｈ２から、同じく機器４２の機器情報に含まれている機器４２のフロア高度ＦＰを減算することにより、作業場所Ｐに対する機器４２の高度、すなわち差分高度ＤＨ２＝Ｈ２−ＦＰを算出する（ステップ３１４）。
【００６０】
この後、位置情報表示部１６は、機器４２の差分高度ＤＨ２、さらには機器４２の設置高度Ｈ２を含む、機器管理ＤＢ２０から取得した機器４２の機器情報を、画面表示部１３で画面表示する（ステップ３１５）。この際、機器４２の機器情報に含まれている水平方向位置に応じた画面上の座標位置に、機器４２を示す丸印などの機器シンボルを表示し、吹き出しなどの付記用シンボルにより、この機器シンボルに対して関連付けて、設置高度Ｈ２を含む、機器４２の機器情報を表示してもよい。
【００６１】
また、地図情報表示部１７は、機器管理ＤＢ２０から取得した機器４２の機器情報の設置位置情報、例えば緯度および経度に基づいて、機器４２の設置場所周辺に関する地図情報を、機器管理ＤＢ２０、通信網２３、または記憶部１５から取得し、位置情報表示部１６で画面表示された機器情報の下層に重ね合わせて、画面表示部１３で画面表示し（ステップ３１６）、一連の位置情報表示動作を終了する。
【００６２】
［第３の実施の形態の効果］
このように、本実施の形態は、端末装置１０を用いて機器４０の設置高度とフロア高度を、機器管理ＤＢ２０の機器情報へ登録しておき、端末装置１０での位置情報表示要求に応じて、機器管理ＤＢ２０から取得した機器情報の設置高度とフロア高度ＦＰとから、差分高度を算出して表示するようにしたものである。
【００６３】
これにより、高度計などの他の装置を必要とすることなく、機器４２の高度を表示する端末装置１０を兼用して、極めて容易に機器４０の設置高度とフロア高度とを、機器管理ＤＢ２０の機器情報へ登録することができる。また、機器管理ＤＢ２０の機器情報に、機器４０の設置高度とフロア高度が登録されているため、端末装置１０以外の装置、例えば操作端末２１でも、任意の機器４０の差分高度を表示することができる。
【００６４】
なお、本実施の形態では、端末装置１０で検出したフロア高度を、そのまま機器管理ＤＢ２０の機器情報へ登録しておき、高度を表示する際に、機器管理ＤＢ２０から取得した機器情報の設置高度とフロア高度から差分高度を算出する場合を例として説明したが、これに限定されるものではない。
【００６５】
例えば、機器管理ＤＢ２０で、端末装置１０から通知された、同一機器ＩＤに関する設置高度とフロア高度から差分高度を算出して、機器情報へ登録しておいてもよい。これにより、高度を表示する際に、差分高度を算出する必要がなくなる。また、端末装置１０で、同一機器ＩＤに関する設置高度とフロア高度から差分高度を算出した後、機器管理ＤＢ２０の機器情報へ登録してもよい。この際、機器の設置高度は、機器管理ＤＢ２０から算出時に再度取得してもよく、それまでに高度検出部１４で検出して記憶部１５へ保存しておいたものを利用してもよい。
【００６６】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００６７】
１…機器管理システム、１０…端末装置、１１…通信部、１２…操作入力部、１３…画面表示部、１４…高度検出部、１５…記憶部、１６…位置情報表示部、１７…地図情報表示部、１８…位置検出部、１９…位置情報登録部、２０…機器管理ＤＢ、２１…操作端末、２２…ルータ、２３…通信網、３０…設備、４０，４１，４２…機器、Ｐ…作業場所、ＧＮＤ…高度基準点、Ｈ１，Ｈ２…設置高度、ＨＰ…現在高度、ＦＰ…フロア高度、ＤＨ１，ＤＨ２…差分高度。
【図１】
2011186984.tif 000003
【図２】
2011186984.tif 000004
【図３】
2011186984.tif 000005
【図４】
2011186984.tif 000006
【図５】
2011186984.tif 000007
【図６】
2011186984.tif 000008
【図７】
2011186984.tif 000009
【図８】
2011186984.tif 000010
【図９】
2011186984.tif 000011
【図１０】
2011186984.tif 000012
【手続補正書】
【提出日】平成22年12月1日(2010.12.1)
【手続補正１】
【補正対象書類名】特許請求の範囲
【補正対象項目名】請求項３
【補正方法】変更
【補正の内容】
【請求項３】
請求項２に記載の機器管理システムにおいて、
前記位置情報登録部は、フロア高度登録要求操作に応じて、前記高度検出部で検出した前記高度を、前記機器管理データベースの対象機器に関する機器情報へ当該対象機器が設置されている設置基準フロアのフロア高度として登録することを特徴とする機器管理システム。
【手続補正２】
【補正対象書類名】特許請求の範囲
【補正対象項目名】請求項７
【補正方法】変更
【補正の内容】
【請求項７】
請求項６に記載の端末装置において、
前記位置情報登録部は、フロア高度登録要求操作に応じて、前記高度検出部で検出した前記高度を、前記機器管理データベースの対象機器に関する機器情報へ当該対象機器が設置されている設置基準フロアのフロア高度として登録することを特徴とする端末装置。
【手続補正３】
【補正対象書類名】明細書
【補正対象項目名】０００２
【補正方法】変更
【補正の内容】
【０００２】
産業システムや建物などの設備では、フィールド機器、リモートＩ／Ｏ、電源ユニット、コントローラ、オペレータコンソールなど、各種の機器が用いられており、例えば石油化学プラントやビルなど、比較的規模の大きい設備では、広い範囲にわたって数多くの機器が設置されている。
これら機器は、メンテナンスを考慮して、設備設計時に設定された機器の識別情報や機器の種別、さらには設置日時やメンテナンス記録など、各機器に関する機器情報が機器管理データベースで管理されている。